(57)【要約】    【課題】摩擦力の生成が安定し、制動の効果を向上する。    【解決手段】ハンドル３５，４５の操作による軸棒（スプール軸３３、駆動軸４３）の動作に連動するスプール３４，４４を摩擦制動しながら、軸棒に対して糸の繰り出し方向へスリップ回転させて釣り糸を制限的に出す魚釣り用リールのドラグ力調節装置３６，４６であって、軸棒と共に動作するように軸棒に外嵌固定されているライニング片３６１，４６１と、ライニング片３６１，４６１と面対面で当接し、かつ、スプール３４，４４の回転に伴って回転するように軸棒に設けられているドラグ片３６２，４６２とからなり、スプール３４，４４が軸棒に対し糸の繰出し方向にスリップ回転されると、ドラグ片３６２，４６２がスプール３４，４４と共に回転してライニング片３６１，４６１と摩擦し、スプール３４，４４の軸棒に対するスリップ回転を制動する構成とする。【選択図】図６
2006075050.tif 000002
【特許請求の範囲】
【請求項１】
釣糸の切断を防止するために、ハンドル操作による軸棒の動作に連動するスプールを摩擦制動しながら、前記軸棒に対して糸の繰り出し方向へスリップ回転させて釣り糸を制限的に出す魚釣り用リールのドラグ力調節装置であって、
前記軸棒と共に動作するように該軸棒に外嵌固定されているライニング片と、
前記ライニング片と面対面で当接し、かつ、前記スプールの回転に伴って回転するように前記軸棒に設けられているドラグ片とからなり、
前記スプールが前記軸棒に対し糸の繰出し方向にスリップ回転されると、前記ドラグ片が前記スプールと共に回転して前記ライニング片と摩擦し、前記スプールの前記軸棒に対するスリップ回転を制動することを特徴とする魚釣り用リールのドラグ力調節装置。
【請求項２】
前記ライニング片と前記ドラグ片とは、それぞれ複数枚あり、前記軸棒上に互いに交錯的に配列されていることを特徴とする請求項１に記載の魚釣り用リールのドラグ力調節装置。
【請求項３】
前記複数のライニング片と前記複数のドラグ片とを軸方向から押圧して固定し、それらの間の締付力を調節する摩擦力調節手段を更に備えていることを特徴とする請求項２に記載の魚釣り用リールのドラグ力調節装置。
【請求項４】
前記各ライニング片は、金属材からなり、前記各ドラグ片は、複合材からなっていることを特徴とする請求項３に記載の魚釣り用リールのドラグ力調節装置。
【請求項５】
スピニングリールとして前記請求項３または４に記載のドラグ力調節装置を備えた魚釣り用リールであって、
前記軸棒は、ハンドル操作によりその軸線上に往復動する回転不可能なスプール軸であり、
前記スプールは、前記スプール軸の一端部に回転可能に支持され、かつ、端部に前記スプール軸の全周囲にかけて開口した中空な収容空間が形成されており、
前記複数のライニング片と前記複数のドラグ片とは、前記収容空間内に収容され、前記摩擦力調節手段は、調節用ノブであって、前記収容空間の前記開口を覆うように前記スプール軸の自由端部に螺着されており、
また、前記スプールの前記収容空間における内周面には第１の係止部が形成されており、前記各ドラグ片の外周縁には第２の係止部が形成されていて前記第１の係止部と係止していることを特徴とする魚釣り用リール。
【請求項６】
キャスティングリールとして前記請求項３または４に記載のドラグ力調節装置を備えた魚釣り用リールであって、
前記軸棒は、ハンドル操作によりその軸線上に回転する駆動軸であり、
前記スプールは、駆動ギアを介して前記駆動軸の回転に駆動されるものであり、
前記駆動ギアは、前記駆動軸の一端部に回転可能に支持され、かつ、端部に前記駆動軸の全周囲にかけて開口した中空な収容空間が形成されており、
前記複数のライニング片と前記複数のドラグ片とは、前記収容空間内に収容され、前記摩擦力調節手段は、調節用ノブであって、前記収容空間の前記開口を覆うように前記駆動軸の自由端部に螺着されており、
また、前記駆動ギアの前記収容空間における内周面には第１の係止部が形成されており、前記各ドラグ片の外周縁には第２の係止部が形成されていて前記第１の係止部と係止していることを特徴とする魚釣り用リール。
【請求項７】
前記収容空間の内周面における前記開口の近傍には、凹槽が形成されており、該凹槽内には、圧縮した状態で配置された後に部分的に突出して前記複数のライニング片及び前記複数のドラグ片の外への移動を、それらの最も外側に位置する外周縁近傍に係止することで阻止する弾性留め金が設けられていることを特徴とする請求項５または請求項６に記載の魚釣り用リール。
【発明の詳細な説明】
【技術分野】
【０００１】
本発明は、魚釣り用リールのドラグ力調節装置及びそれを備えた魚釣り用リールに関し、特に釣糸の切断を防止するためのドラグ力調節装置の改良、及び当該改良したドラグ力調節装置を備えた魚釣り用リールに関する。
【背景技術】
【０００２】
従来から、魚釣り用リールには魚の強い引き力や急激な反転などによって釣糸に大きな引張力がかかった際に釣糸の切断を防止するために、通常、ドラグ力調節装置が装着されている。図１に示すのは、従来のドラグ力調節装置を備えた魚釣用スピニングリールである。図２は、前記従来のドラグ力調節装置を示す分解斜視図である。
【０００３】
前記従来のドラグ力調節装置１６は、図１に示すように、ハンドル１５の操作によりその軸線上に往復動する回転不可能なスプール軸１３の一端部１３１と、前記スプール軸１３に連動して往復動するように前記一端部１３１に回転可能に設けられている糸巻き用スプール１４との間に装着されている。前記スプール軸１３の前記一端部１３１の横断面は非円形である。
【０００４】
前記ドラグ力調節装置１６は、図１及び図２に示すように、複数のライニング片１６０，１６１と複数のドラグ片１６２と摩擦力調節用ノブ１６３とからなっている。前記複数のライニング片１６０，１６１と前記複数のドラグ片１６２とは、一連に互いに交錯的に配列されている。
【０００５】
そして、前記複数のライニング片１６０，１６１は、非円形の中心通孔１６０１を有するもの１６０と円形の中心通孔１６１１を有するもの１６１とに分けられている。前記非円形の中心通孔１６０１を有する各ライニング片１６０は、前記スプール軸１３と共に往復動するように、該スプール軸１３の前記一端部１３１に外嵌固定されている。前記円形の中心通孔１６１１を有する各ライニング片１６１は、前記スプール軸１３の前記一端部１３１の周りに回転可能に取り付けられ、かつその外周縁に、前記スプール１４の内周面に形成された複数の係合溝１４４と係合する複数の係合突起１６１２が形成されている。
【０００６】
前記複数のドラグ片１６２は、それぞれ両面とも粗面であるものであり、円形の中心通孔１６２１を有し、かつ、前記対応するライニング片１６０，１６１と面対面で当接するように前記スプール軸１３の前記一端部１３１の周りに回転可能に設けられている。
【０００７】
前記摩擦力調節用ノブ１６３は、前記スプール軸１３の自由端部に螺着されていて、前記複数のライニング片１６０，１６１と前記複数のドラグ片１６２とを軸方向から押圧して固定し、それらの間の締付力を調節するものである。
【０００８】
それにより、魚が走った時、前記スプール１４が前記スプール軸１３に対して糸の繰出し方向にスリップ回転されると、前記複数の係合溝１４４と前記複数の係合突起１６１２との係合により、前記円形の中心通孔１６１１を有する複数のライニング片１６１が前記スプール１４と共に回転する。そして、このライニング片１６１は、前記複数のドラグ片１６２と摩擦により、前記スプール１４の前記スプール軸１３に対するスリップ回転を制動して釣糸を制限的に出させて釣糸の切断を防止することができる。また、前記摩擦力調節用ノブ１６３で前記複数のライニング片１６０，１６１と前記複数のドラグ片１６２との間の締付力を調節することにより前記摩擦力の強弱を調節することができる。
【０００９】
そして、前記と同一構成のドラグ力調節装置２６が魚釣用キャスティングリールに応用する場合、図３及び図４に示すように、ハンドル２５の操作によりその軸線上に回転する駆動軸２３と、該駆動軸２３に連動して回転してスプール２４の回転を駆動する駆動ギア２２との間に設けられる。前記非円形の中心通孔２６０１を有する各ライニング片２６０は、横断面が非円形である前記駆動軸２３と共に回転するように、該駆動軸２３に外嵌固定されている。前記円形の中心通孔２６１１を有する各ライニング片２６１は、その係合突起２６１２で前記駆動ギア２２の内周面に形成された係合溝２２１と係合し、前記駆動ギア２２と共に回転するように前記駆動軸２３の周りに回転可能に設けられている。
【００１０】
前記複数のドラグ片２６２は、前記対応するライニング片２６０，２６１と面対面で当接するように、前記駆動軸２３の周りに回転可能に設けられている。前記摩擦力調節用ノブ２６３は、前記駆動軸２３の自由端部に螺着されている。
【００１１】
それにより、魚が走った時、キャスティングリールのスプール２４が糸の繰出し方向にスリップ回転されると、前記駆動ギア２２が前記駆動軸２３に対し糸の繰出し方向に回転する。そして、前記複数の係合溝２２１と前記複数の係合突起２６１２との係合により、前記円形の中心通孔２６１１を有する複数のライニング片２６１が前記駆動ギア２２と共に回転する。また、このライニング片２６１は、前記複数のドラグ片２６２と摩擦して、前記駆動ギア２２の前記駆動軸２３に対する回転を制動し、更に前記スプール２４のスリップ回転を制動して釣糸を制限的に出させることができる。
【００１２】
しかしながら、前記従来のドラグ力調節装置１６，２６は、スプール１４，２４を摩擦制動しながら糸の繰り出し方向へスリップ回転させる機能を有するが、前記複数のドラグ片１６２，２６２が前記スプール軸１３や前記駆動軸２３の周りに回転可能に設けられているため、前記円形の中心通孔１６１１，２６１１を有する複数のライニング片１６１，２６１が前記複数のドラグ片１６２，２６２と摩擦する時、前記ドラグ片１６２，２６２が前記ライニング片１６１，２６１の回転と共に回転する場合があって摩擦力の生成が不安定になる。その結果、制動の効果が悪いので、所望の摩擦力を得るように、前記摩擦力調節用ノブ１６３，２６３の締付操作を頻繁にしなければならないという問題がある。
【発明の開示】
【発明が解決しようとする課題】
【００１３】
本発明は前記問題に鑑みてなされたもので、摩擦力の生成が安定し、制動の効果がよい魚釣り用リールのドラグ力調節装置及びそれを備えた魚釣り用リールを提供しようとすることを目的としている。
【課題を解決するための手段】
【００１４】
前記目的を達成するために、発明者は、まず、釣糸の切断を防止するために、ハンドル操作による軸棒の動作に連動するスプールを摩擦制動しながら、前記軸棒に対して糸の繰り出し方向へスリップ回転させて釣り糸を制限的に出す魚釣り用リールのドラグ力調節装置であって、前記軸棒と共に動作するように該軸棒に外嵌固定されているライニング片と、前記ライニング片と面対面で当接し、かつ、前記スプールの回転に伴って回転するように前記軸棒に設けられているドラグ片とからなり、前記スプールが前記軸棒に対し糸の繰出し方向にスリップ回転されると、前記ドラグ片が前記スプールと共に回転して前記ライニング片と摩擦し、前記スプールの前記軸棒に対するスリップ回転を制動することを特徴とする魚釣り用リールのドラグ力調節装置を提供する。
【００１５】
この構成によるドラグ力調節装置は、前記ドラグ片が前記スプールの回転に伴って回転するように取付けられており、かつ、前記ライニング片が前記軸棒に外嵌固定されているので、前記ドラグ片が前記スプールと共に回転して前記ライニング片と摩擦する時、従来のようにドラグ片がライニング片と共に回転する場合が全くない。そのため、摩擦力の生成を安定させることができ、制動効果を向上することができる。
【００１６】
そして、前記ライニング片と前記ドラグ片とは、それぞれ複数枚あり、前記軸棒上に互いに交錯的に配列されていることが好ましい。このドラグ力調節装置は、前記複数のライニング片と前記複数のドラグ片とを軸方向から押圧して固定し、それらの間の締付力を調節する摩擦力調節手段を更に備えていることが好ましい。
【００１７】
なお、前記ドラグ力調節装置に基づき、発明者は更に以下の２種の魚釣り用リールを提供する。
【００１８】
すなわち、スピニングリールとして前記ドラグ力調節装置を備えた魚釣り用リールであって、前記軸棒は、ハンドル操作によりその軸線上に往復動する回転不可能なスプール軸であり、前記スプールは、前記スプール軸の一端部に回転可能に支持され、かつ、端部に前記スプール軸の全周囲にかけて開口した中空な収容空間が形成されており、前記複数のライニング片と前記複数のドラグ片とは、前記収容空間内に収容され、前記摩擦力調節手段は、調節用ノブであって、前記収容空間の前記開口を覆うように前記スプール軸の自由端部に螺着されており、また、前記スプールの前記収容空間における内周面には第１の係止部が形成されており、前記各ドラグ片の外周縁には第２の係止部が形成されていて前記第１の係止部と係止していることを特徴とする魚釣り用リールを提供する。
【００１９】
また、キャスティングリール（片軸受リール、両軸受リール）として前記ドラグ力調節装置を備えた魚釣り用リールであって、前記軸棒は、ハンドル操作によりその軸線上に回転する駆動軸であり、前記スプールは、駆動ギアを介して前記駆動軸の回転に駆動されるものであり、前記駆動ギアは、前記駆動軸の一端部に回転可能に支持され、かつ、端部に前記駆動軸の全周囲にかけて開口した中空な収容空間が形成されており、前記複数のライニング片と前記複数のドラグ片とは、前記収容空間内に収容され、前記摩擦力調節手段は、調節用ノブであって、前記収容空間の前記開口を覆うように前記駆動軸の自由端部に螺着されており、また、前記駆動ギアの前記収容空間における内周面には第１の係止部が形成されており、前記各ドラグ片の外周縁には第２の係止部が形成されていて前記第１の係止部と係止していることを特徴とする魚釣り用リールを提供する。
【発明の効果】
【００２０】
前記魚釣り用リールのドラグ力調節装置及びそれを備えた魚釣り用リールは、安定的な摩擦力を生じることができるので、前記摩擦力調節用ノブの多くの締付操作の必要がなくなる。
【発明を実施するための最良の形態】
【００２１】
以下、本発明の魚釣り用リールのドラグ力調節装置及びそれを備えた魚釣り用リールの好ましい実施形態を詳しく説明する。
【００２２】
（実施形態１）
図５は、本発明の魚釣り用リールのドラグ力調節装置及びそれを備えた魚釣り用リールの第１の実施形態を示す一部断面側面図である。図６は前記ドラグ力調節装置を示す分解斜視図である。図７は図６の組立後の一部断面図である。
【００２３】
本発明の第１の実施形態の魚釣り用リール３は、図１に示すようなスピニングリールであり、主としてリール本体３１と、前記リール本体３１に回転自在に軸支されているハンドル３５と、前記リール本体３１内に収容されている伝動機構を介して前記ハンドル３５操作に連動して左右に往復動するスプール３４と、前記伝動機構を介して前記ハンドル３５の操作に連動して回転しながら釣糸を前記スプール３４に巻き付けたり繰出したりするロータ３２とを備えている。
【００２４】
もっと詳しく説明すると、前記伝動機構には、前記ロータ３２を左右方向に貫通し、前記ハンドル３５操作によりその軸線上に左右に往復動する回転不可能な軸棒（以下スプール軸３３と称する）を備えている。当該スプール軸３３の前記ロータ３２から突出した一端部３３１は、横断面が非円形であって、かつ、フランジ３３２が径方向に突出するように形成されている。前記スプール３４は、径方向内向きに突出する内壁面３４１を備え、該内壁面３４１が前記フランジ３３２と当接するように前記スプール軸３３の前記一端部３３１に回転可能に支持され、かつ、端部に前記スプール軸３３１の全周囲にかけて開口した中空な収容空間３４２が形成されている。
【００２５】
それにより、前記スプール軸３３の一端部３３１が左右に往復動すると、前記フランジ３３２と前記内壁面３４１との当接により前記スプール３４が往復動するように駆動することができる。
【００２６】
そして、前記スプール３４と前記スプール軸３３の前記一端部３３１との間、すなわち前記中空な収容空間３４２内にはドラグ力調節装置３６が装着されている。本発明の特徴はこのドラグ力調節装置の構成にある。
【００２７】
このドラグ力調節装置３６は、魚が走った時、釣糸の切断を防止するためにスプール３４を摩擦制動しながら、前記スプール軸３３に対して糸の繰り出し方向へスリップ回転させ、釣り糸を制限的に出させるものである。このドラグ力調節装置３６は、図５〜図７に示すように、複数のライニング片３６１と複数のドラグ片３６２と弾性留め金３６３と摩擦力調節手段３６４とからなっている。
【００２８】
前記複数のライニング片３６１は、それぞれ非円形の中心通孔３６１１を有するものであり、前記スプール軸３３と共に往復動するように該スプール軸３３の前記一端部３３１に外嵌固定されている。
【００２９】
前記複数のドラグ片３６２は、前記複数のライニング片３６１と互いに交錯的（交互）に配列されていて、それぞれ対応の前記ライニング片３６１と面対面で当接し、かつ、前記スプール３４の回転に伴って回転するように前記スプール軸３３の周りに設けられている。
【００３０】
もっと詳細に説明すると、前記各ドラグ片３６２は、その左右両面とも網目状の溝を形成することにより粗面とされ、かつ、サイズが前記ライニング片３６１と同じで、かつ、円形の中心通孔３６２１を有する中間部と、前記中間部の周縁から所定距離（角度）を開けて径方向外向きに突出している複数の略半円形の係合突起３６２２（第２の係止部）とからなっている。
【００３１】
前記スプール３４の前記収容空間３４２の横断面の形状は、前記ドラグ片３６２の形状と同様であり、前記複数の略半円形の係合突起３６２２とそれぞれ係合する複数の半円形の係合溝３４４（第１の係止部）を有している。
【００３２】
本実施形態において前記各ライニング片３６１は、金属材からなり、前記各ドラグ片３６２は、複合材からなっている。
【００３３】
そして、前記収容空間３４２の内周面における開口近傍には、凹槽３４５が形成されている。前記弾性留め金３６３は正六角形状をなし、その一辺に所定幅の切断部を設けたもので、圧縮した状態で配置された後、各辺が部分的に突出するように前記凹槽３４５内に配設されている。それにより、前記複数のライニング片３６１及び前記複数のドラグ片３６２の外への移動を、それらの最も外側に位置する片の外周縁近傍に係止することで阻止することができる。
【００３４】
前記摩擦力調節手段３６４は、調節用ノブであって、前記複数のライニング片３６１と前記複数のドラグ片３６２と前記弾性留め金３６３とが前記収容空間３４２内に入れられた後、前記収容空間３４２の前記開口を覆うように前記スプール軸３３の自由端部に螺着される。そして、前記弾性留め金３６３の内部空間を挿通して、前記複数のライニング片３６１と前記複数のドラグ片３６２とを軸方向から押圧して固定し、それらの間の締付力を調節するものである。
【００３５】
それにより、前記スプール３４が前記スプール軸３３に対し糸を繰出し方向にスリップ回転されると、前記第１の係止部３４４と前記第２の係止部３６２２との間の係合により、前記複数のドラグ片３６２が前記スプール３４と共に回転して前記対応のライニング片３６１と摩擦し、前記スプール３４の前記スプール軸３３に対するスリップ回転を制動することができる。
【００３６】
前記構成によるドラグ力調節装置３６及びそれを備えた魚釣り用リール３は、前記複数のライニング片３６１が前記スプール軸３３に外嵌固定されているため、前記複数のドラグ片３６２が前記対応のライニング片３６１と摩擦する場合、従来のようにドラグ片１６２，２６２がライニング片１６１，２６１と共に回転することがないので、安定した摩擦力を生成することができる。
【００３７】
また、前記摩擦力調節用手段３６４で前記複数のライニング片３６１と前記複数のドラグ片３６２との間の締付力を調節することにより前記摩擦力の強弱を調節することができる。
【００３８】
（実施形態２）
図８は、本発明の魚釣り用リールのドラグ力調節装置及びそれを備えた魚釣り用リールの第２の実施形態を示す一部断面側面図である。図９は前記ドラグ力調節装置を示す分解斜視図である。
【００３９】
本発明の第２の実施形態の魚釣り用リール４は、図８に示すようなキャスティングリールにおける両軸受リールであり、主としてリール本体４１と、前記リール本体４１に回転自在に軸支されているハンドル４５と、前記リール本体４１内に収容されている伝動機構を介して前記ハンドル４５の操作に連動して回転するスプール４４とを備えている。
【００４０】
もっと詳しく説明すると、前記伝動機構は、前記ハンドル４５の操作に連動してその軸線上に回転する横断面の非円形の軸棒（以下駆動軸４３と称する）を備えている。前記駆動軸４３の一端部４３１には、フランジ４３２が径方向に突出して形成されている。
【００４１】
前記スプール４４は、前記伝動機構における駆動ギア４２を介して前記駆動軸４３の回転に連動して駆動されるものである。前記駆動ギア４２は、その径方向内向きに突出する壁面４２０で前記フランジ４３２と当接するように、前記駆動軸４３の前記一端部４３１に回転可能に支持され、かつ、その端部に前記駆動軸４３の全周囲にかけて開口した中空な収容空間４２１が形成されている。
【００４２】
そして、前記駆動ギア４２と前記駆動軸４３との間にはドラグ力調節装置４６が装着されている。前記ドラグ力調節装置４６は、図８及び図９に示すように、複数のライニング片４６１と複数のドラグ片４６２と摩擦力調節手段４６３とからなっている。
【００４３】
前記複数のライニング片４６１は、前記駆動軸４３と共に回転するように該駆動軸４３に外嵌固定されている。前記複数のドラグ片４６２は、前記複数のライニング片４６１と互いに交錯的に配列されていて、かつ、前記駆動ギア４２の回転に伴って回転するように前記駆動軸４３の周りに設けられている。
【００４４】
もっと詳細に説明すると、前記各ドラグ片４６２の外周縁には、所定距離（角度）を開けて径方向外向きに突出した複数の略半円形の係合突起４６２２（第２の係止部）が形成されている。前記駆動ギア４２の前記収容空間４２１における内周面には、前記複数の略半円形の係合突起４６２２とそれぞれ係合する複数の半円形の係合溝４２２（第１の係止部）が形成されている。
【００４５】
前記摩擦力調節手段４６３は、調節用ノブであって、前記複数のライニング片４６１と前記複数のドラグ片４６２が前記収容空間４２１内に入れられた後、前記収容空間４２１の前記開口を覆うように前記駆動軸４３の自由端部に螺着されている。
【００４６】
それにより、魚が走った時、前記スプール４４が糸の繰出し方向にスリップ回転されると、前記駆動ギア４２が前記駆動軸４３に対し糸の繰出し方向に回転する。そして、前記第１の係止部４２２と前記第２の係止部４６２２との間の係合により、前記複数のドラグ片４６２が前記駆動ギア４２と共に回転して前記対応のライニング片４６１と摩擦し、前記駆動ギア４２の前記駆動軸４３に対する回転を制動し、更に前記スプール４４のスリップ回転を制動することができる。
【００４７】
本発明の魚釣り用リールのドラグ力調節装置及びそれを備えた魚釣り用リールは、前記ライニング片が軸棒（スプール軸や駆動軸）に外嵌固定され、かつ前記ドラグ片が直接的または間接的にスプールと共に回転するように設けられているので、前記ライニング片が前記ドラグ片と摩擦する時、安定した摩擦力が生じて制動効果を向上することができる。
【００４８】
なお、以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００４９】
【図１】従来のドラグ力調節装置及びそれを備えた魚釣り用スピニングリールを示す一部断面側面図
【図２】図１におけるドラグ力調節装置を示す分解斜視図
【図３】従来のドラグ力調節装置及びそれを備えた魚釣り用キャスティングリールを示す一部断面側面図
【図４】図３におけるドラグ力調節装置を示す分解斜視図
【図５】本発明のドラグ力調節装置及びそれを備えた魚釣り用リールの第１の実施形態を示す一部断面側面図
【図６】前記第１の実施形態におけるドラグ力調節装置を示す分解斜視図
【図７】図６の組立後の一部断面図
【図８】本発明のドラグ力調節装置及びそれを備えた魚釣り用リールの第２の実施形態を示す一部断面側面図
【図９】前記第２の実施形態におけるドラグ力調節装置を示す分解斜視図
【符号の説明】
【００５０】
３        スピニングリール
３１      リール本体
３２      ロータ
３３      スプール軸（軸棒）
３３１    一端部
３３２    フランジ
３４      スプール
３４１    内壁面
３４２    収容空間
３４４    係合溝
３４５    凹槽
３５      ハンドル
３６      ドラグ力調節装置
３６１    ライニング片
３６１１  通孔
３６２    ドラグ片
３６２１  通孔
３６２２  係合突起
３６３    弾性留め金
３６４    摩擦力調節手段
４        キャスティングリール
４１      リール本体
４２      駆動ギア
４２０    壁面
４２１    収容空間
４２２    係合溝
４３      駆動軸（軸棒）
４３１    一端部
４３２    フランジ
４４      スプール
４５      ハンドル
４６      ドラグ力調節装置
４６１    ライニング片
４６２    ドラグ片
４６２２  係合突起
４６３    摩擦力調節手段
【図１】
2006075050.tif 000003
【図２】
2006075050.tif 000004
【図３】
2006075050.tif 000005
【図４】
2006075050.tif 000006
【図５】
2006075050.tif 000007
【図６】
2006075050.tif 000008
【図７】
2006075050.tif 000009
【図８】
2006075050.tif 000010
【図９】
2006075050.tif 000011